(57)【要約】【課題】ロープ端末装置を釣合い錘に据付ける作業を１人の作業員で行うことを可能にしたロープ端末装置の据付け雇及びロープ端末装置の据付け方法の提供。【解決手段】本発明は、ロープ端末装置６の据付けに際し、据付け雇１０を用いるものである。この据付け雇１０は、吊り部材５ａに当接するばね６ｂの配置箇所に対向する位置に、ばね６ｂの外径よりも小さく、ロープ端末装置６のロッド６ａに螺合してばね６ｂをロッド６ａに装着させるナット６ｃの外径よりも大きい貫通穴１０ａ１を有するばね仮置き部材１０ａを含んでいる。このばね仮置き部材１０ａは、ばね６ｂの全長よりも長い距離隔てて吊り部材１０に対向して配置され、釣合い錘５の釣合い錘枠５ｂに保持されるようにしてある。これにより移動式ゴンドラ７に搭乗した１人の作業員によって、ロープ端末装置６の据付け作業を行うことができる。【選択図】図２
2013224193.tif 000002
【特許請求の範囲】
【請求項１】
外殻を形成する釣合い錘枠と、この釣合い錘枠に固定され、ロープ端末装置に設けられるロッドに装着されるばねに当接する吊り部材とを有し、前記吊り部材が前記ばねに当接することにより吊持されるエレベータの釣合い錘に、ロープを連結する際に用いられ、
前記吊り部材に当接する前記ばねの配置箇所に対応する位置に、前記ばねが載置されるばね仮置き部材を備え、このばね仮置き部材は、前記ばねの外径よりも小さく、前記ロッドに螺合して前記ばねを前記ロッドに装着させるナットの外径よりも大きい貫通穴を有し、前記ばねの全長よりも長い距離隔てて前記吊り部材に対向して配置され、前記釣合い錘に保持されることを特徴とするロープ端末装置の据付け雇。
【請求項２】
請求項１に記載のロープ端末装置の据付け雇において、
前記ばね仮置き部材に連結される支持ブラケットと、この支持ブラケットと前記ばね仮置き部材とを連結する連結部材とを備えたことを特徴とするロープ端末装置の据付け雇。
【請求項３】
請求項２に記載のロープ端末装置の据付け雇において、
前記支持ブラケットを前記釣合い錘枠に取付ける取付け部材を備えたことを特徴とするロープ端末装置の据付け雇。
【請求項４】
外殻を形成する釣合い錘枠と、この釣合い錘枠に固定され、ロープ端末装置に設けられるロッドに装着されるばねに当接する吊り部材とを有し、前記吊り部材が前記ばねに当接することにより吊持されるエレベータの釣合い錘に、前記ロープ端末装置を据付けるに際し、
前記ばねが載置され、前記吊り部材に当接する前記ばねの配置箇所に対応する位置に、前記ばねの外径よりも小さく、前記ロッドに螺合して前記ばねを前記ロッドに装着させるナットの外径よりも大きい貫通穴を有し据付け雇に含まれるばね仮置き部材を、前記ばねの全長よりも長い距離隔てて前記釣合い錘枠に保持させ、
前記ばね仮置き部材の前記貫通穴の１つに対応する位置に前記ばねを載置し、前記ロープ端末装置の前記ロッドを、前記吊り部材、前記ばね、及び前記ばね仮置き部材の前記貫通穴に挿通して前記ロッドに螺合するナットで前記ばねを前記ロッドに装着させるロープ端末固定作業を、前記ロープの本数分繰り返して行うことを特徴とするロープ端末装置の据付け方法。
【請求項５】
請求項４に記載のロープ端末装置の据付け方法において、
前記釣合い錘枠に前記支持ブラケットを取付け、前記支持ブラケットに前記ばね仮置き部材を連結するようにしたことを特徴とするロープ端末装置の据付け方法。
【請求項６】
請求項５に記載のロープ端末装置の据付け方法において、
前記ばね仮置き部材及び前記支持ブラケットを、前記釣合い錘枠に対し取外し可能に固定し、全てのロープ端末固定作業の終了後に前記ばね仮置き部材及び前記支持ブラケットを、前記釣合い錘枠から取外すようにしたことを特徴とするロープ端末装置の据付け方法。
【発明の詳細な説明】
【技術分野】
【０００１】
本発明は、エレベータに備えられるロープ端末装置の据付け雇、及びこの据付け雇を用いて行われるロープ端末装置の据付け方法に関する。
【背景技術】
【０００２】
エレベータに備えられるロープ端末装置に関係する技術としては、例えば特許文献１に示されるものがある。この従来技術は、乗かごに接続されるロープが連結される釣合い錘側に、ロープ伸びに対する調整を行う調整装置を備えたものである。このような調整装置は従来から提案されているが、例えば大容量のエレベータに備えられ、大型で質量の大きいロープ端末装置を釣合い錘に効率良く据付けるようにした技術については、現在までのところまだ開発されていない。
【先行技術文献】
【特許文献】
【０００３】
【特許文献１】実開昭５６−７６６７５号公報
【発明の概要】
【発明が解決しようとする課題】
【０００４】
従来、例えば大容量のエレベータに備えられるロープ端末装置の据付けに際しては、昇降路内に配置した移動式ゴンドラに搭乗した作業員によって、ロープ端末装置を釣合い錘に取り付けることが行われている。しかし、移動式ゴンドラと釣合い錘との間の作業距離が遠くなることから、この作業自体が行いづらいものとなっている。通常、大容量のエレベータでは、ロープ端末装置が大型になることから、このロープ端末装置に備えられるばねの質量が大きく、例えば２０〜３０ｋｇの重量物となっている。このため１人の作業員のみで、ばねを片手で保持し、このばねを支えるナットをロープ端末装置に備えられるロッドに螺合させる作業を行うことは困難となっている。したがって実際には、複数の作業員が狭い移動式のゴンドラに搭乗して、このロープ端末装置の据付け作業を行うようにしていた。これに伴って従来にあっては、複数の作業員の移動式ゴンドラ内の動きが互いに制約されて、据付け作業の効率の向上を見込めず、また、作業員同志の接触等によってロープ端末装置の部品等が落下する虞があった。
【０００５】
本発明は、上述した従来技術における実状からなされたもので、その目的は、ロープ端末装置を釣合い錘に据付ける作業を１人の作業員で行うことを可能にしたロープ端末装置の据付け雇及びロープ端末装置の据付け方法を提供することにある。
【課題を解決するための手段】
【０００６】
前記目的を達成するために、本発明に係るロープ端末装置の据付け雇は、釣合い錘枠の吊り部材に当接するロープ端末装置に含まれるばねの配置箇所に対応する位置に、前記ばねが載置されるばね仮置き部材を備え、このばね仮置き部材は、前記ばねの外径よりも小さく、前記ロッドに螺合して前記ばねを前記ロッドに装着させるナットの外径よりも大きい貫通穴を有し、前記ばねの全長よりも長い距離隔てて前記吊り部材に対向して配置され、前記釣合い錘に保持されることを特徴としている。
【０００７】
また、前記目的を達成するために、本発明に係るロープ端末装置の据付け方法は、エレベータの釣合い錘に、ロープ端末装置を据付けるに際し、ロープ端末装置のばねが載置され、前記釣合い錘の吊り部材に当接する前記ばねの配置箇所に対応する位置に、前記ばねの外径よりも小さく、前記ロープ端末装置のロッドに螺合して前記ばねを前記ロッドに装着させるナットの外径よりも大きい貫通穴を有し据付け雇に含まれるばね仮置き部材を、前記ばねの全長よりも長い距離隔てて前記釣合い錘枠に保持させ、前記ばね仮置き部材の前記貫通穴の１つに対応する位置に前記ばねを載置し、前記ロープ端末装置の前記ロッドを、前記吊り部材、前記ばね、及び前記ばね仮置き部材の前記貫通穴に挿通して前記ロッドに螺合するナットで前記ばねを前記ロッドに装着させるロープ端末固定作業を、前記ロープの本数分繰り返して行うことを特徴としている。
【発明の効果】
【０００８】
本発明は、ロープ端末装置の釣合い錘への据付け作業に際し、重量物となるロープ端末装置のばねをばね仮置き部材に載置した状態で据付け作業を行うことができることから、この据付け作業を１人の作業員で行うことが可能になる。したがって、作業スペースを従来よりも広く確保でき、また据付け作業に際しての集中力を高めることができる。これにより、ロープ端末装置の据付け作業の効率を従来よりも向上させることができ、また、ロープ端末装置の部品等が落下する虞を少なくすることができる。前述した以外の課題、構成及び効果は、以下の実施形態の説明により明らかにされる。
【図面の簡単な説明】
【０００９】
【図１】本発明に係るロープ端末装置の据え付け時の状態を示すエレベータの昇降路縦断面図である。
【図２】本発明に係るロープ端末装置の据付け雇の一実施形態を用いてロープ端末装置のロッドにばねを装着した状態を示す正面図である。
【図３】本実施形態に係る据付け雇の一実施形態を示す斜視図である。
【図４】本実施形態に係る据付け雇を釣合い錘枠に取り付ける前の状態を示す図で、（ａ）図は側面図、（ｂ）図は正面図である。
【図５】本実施形態に係る据付け雇を釣合い錘枠に取り付けた状態にあって、ロープ端末装置のばねをロッドに装着する前の状態を示す図で、（ａ）図は側面図、（ｂ）図は正面図である。
【図６】本実施形態に係る据付け雇を釣合い錘枠に取り付けた後、ロープ端末装置のばねをロッドに装着して、ロープ端末固定作業が終了したときの状態を示す図で、（ａ）図は側面図、（ｂ）図は正面図である。
【発明を実施するための形態】
【００１０】
以下、本発明に係るロープ端末装置の据付け雇及びロープ端末装置の据付け方法の実施の形態を図に基づいて説明する。
【００１１】
図１は本発明に係るロープ端末装置の据え付け時の状態を示すエレベータの昇降路縦断面図である。
【００１２】
例えば高層ビルに備えられる大容量のエレベータの昇降路１内における各種装置・機器の据付け作業に際しては、移動効率の良い移動式ゴンドラ７が用いられる。この移動式ゴンドラ７に作業員が搭乗し、昇降路１内を上下移動しながら、本発明の対象とするロープ端末装置６を含めて昇降路１内の各種装置・機器を据付けことが行われる。
【００１３】
ロープ端末装置６の据付けに際しては、前述のように移動式ゴンドラ７が用いられる。乗かご３とつるべ式にロープ４で連結される釣合い錘５は、巻上機８が設置される機械室２付近、すなわち昇降路１の頂部近傍で揚重機９で吊り上げられた状態で保持される。
【００１４】
図２は本発明に係るロープ端末装置の据付け雇の一実施形態を用いてロープ端末装置のロッドにばねを装着した状態を示す正面図である。
【００１５】
この図２に示すように、ロープ端末装置６は、ロープ４に連結されるロッド６ａと、このロッド６ａに装着されるばね６ｂと、ロッド６ａに螺合してばね６ｂをロッド６ａに保持させるナット６ｃとを含んでいる。乗かご３に接続されるロープ４に張力がかかった状態においては、釣合い錘５の吊り部材５ａにばね６ｂが押し当てられ当接した状態となる。
【００１６】
なお、釣合い錘５は、外殻を形成する釣合い錘枠５ｂと、この釣合い錘枠５ｂに固定される吊り部材５ａとを含んでいる。
【００１７】
図３は本実施形態に係る据付け雇の一実施形態を示す斜視図である。
【００１８】
この図３に示すように、ロープ端末装置６の据付けに際して用いられる本実施形態に係る据付け雇１０は、ロープ端末装置６のばね６ｂが載置されるばね仮置き部材１０ａを備えている。また、本実施形態に係る据付け雇１０は、ばね仮置き部材１０ａにボルトとナットとから成る連結部材１０ｃによって固定され、ボルトとナットとから成る取付部材１０ｄによって釣合い錘枠５ｂに固定される支持ブラケット１０ｂを備えている。
【００１９】
前述のばね仮置き部材１０ａは、釣合い錘５の吊り部材５ａに当接するばね６ｂのそれぞれの配置箇所に対応する位置に、ばね６ｂの外径よりも小さく、ロッド６ａに螺合するナット６ｃの外径よりも大きい複数の貫通穴１０ａ１を有している。また、このばね仮置き部材１０ａは、ロープ端末装置６の据付けに際しばね６ｂのそれぞれの全長よりも長い距離を隔てて吊り部材５ａに対向して配置され、例えば支持ブラケット１０ｂを介して釣合い錘枠５に保持、例えば固定されるようになっている。
【００２０】
前述のばね仮置き部材１０ａの貫通穴１０ａ１は、ロープ４の本数分設けてある。また、支持ブラケット１０ｂには、釣合い錘枠５ｂに設けた取付け穴５ｂ１に適合し、前述した取付け部材１０ｄが挿入される取付け穴１０ｂ１を設けてある。
【００２１】
図４は本実施形態に係る据付け雇を釣合い錘枠に取り付ける前の状態を示す図で、（ａ）図は側面図、（ｂ）図は正面図、図５は本実施形態に係る据付け雇を釣合い錘枠に取り付けた状態にあって、ロープ端末装置のばねをロッドに装着する前の状態を示す図で、（ａ）図は側面図、（ｂ）図は正面図、図６は本実施形態に係る据付け雇を釣合い錘枠に取り付けた後、ロープ端末装置のばねをロッドに装着して、ロープ端末装置の据付けが終了したときの状態を示す図で、（ａ）図は側面図、（ｂ）図は正面図である。
【００２２】
図３に示した本実施形態に係る据付け雇１０を用いて、釣合い錘５にロープ４に接続されるロープ端末装置６を据付ける本実施形態に係るロープ端末装置６の据付け方法の実施に際しては、例えば前述の移動式ゴンドラ７に１人の作業員が搭乗する。この作業員は、図４に示す状態にある釣合い錘５の釣合い錘枠５ｂに据付け雇１０を固定する。すなわち、図５に示すように、取付け部材１０ｄによって支持ブラケット１０ｂを釣合い錘枠５ｂに固定し、連結部材１０ｃによってばね仮置き部材１０ａを支持ブラケット１０ｂに固定する。
【００２３】
この状態において、図６に示すように、例えばばね仮置き部材１０ａの１つの貫通穴１０ａ１に対応する位置に、重量物を構成する１つのばね６ｂを載置する。この状態で、ロープ４の端部に設けたロッド６ａを、吊り部材５ａに形成した通し穴、ばね６ｂ、及びばね仮置き部材１０ａの貫通穴１０ａ１に挿通し、ロッド６ａにナット６ｃを螺合させる。これによってばね６ｂをロッド６ａに装着することができる。このようにして、１本のロープ４に係るロープ端末固定作業が終了する。以下同様のロープ端末固定作業が、ロープ４の本数分繰り返し行われる。
【００２４】
全てのロープ端末固定作業の終了後には例えば、据付け雇６を釣合い錘５の釣合い錘枠５ｂから取外す作業が以下のように行われる。
【００２５】
ばね仮置き部材１０ａを図示しない紐などで落下しないように固定した後、ばね仮置き部材１０ａと支持ブラケット１０ｂとを連結していた連結部材１０ｃを取外す。
【００２６】
次いで、支持ブラケット１０ｂを釣合い錘枠５ｂに取付けていた取付け部材１０ｄを取外す。このとき、作業員は、ばね仮置き部材１０ａを片手で保持しながら作業を行う。
【００２７】
支持ブラケット１０ｂを取外した後、ばね仮置き部材１０ａを、その貫通穴１０ａ１がロープ端末装置６のロッド６ａの下端から外れる位置まで下げ、このばね仮置き部材１０ａを取外す。これによって、ロープ端末装置６を釣合い錘５に据付ける据付け作業が完了する。
【００２８】
前述のように、据付け雇１０を用いて行われるロープ端末装置６の据付け作業が完了したならば、乗かご３と釣合い錘５とを巻上機８を介してつるべ式にロープ４にて連結し、その後、釣合い錘５を保持している揚重機９を開放する。これにより、釣合い錘５が降下し、この釣合い錘５の吊り部材５ａがロープ端末装置６のばね６ｂに押し当てられ当接する状態となる。
【００２９】
このように本実施形態に係る据付け雇１０、及び据付け雇１０を用いて行われる本実施形態に係るロープ端末装置６の据付け方法にあっては、ロープ端末装置６の重量物を形成するばね６ｂをばね仮置き部材１０ａに載置した状態で、このばね６ｂ含む各部品を、移動式ゴンドラ７に搭乗した１人の作業員が取り扱って据付け作業を行うことができる。したがって、他の作業員との接触の懸念無く作業を行うことができる。すなわち、広い作業スペースを確保できて作業がしやすく、この据付け作業の作業効率を向上させることができる。また、作業に対する集中力を容易に確保でき、重量物であるロープ端末装置６のばね６ｂをばね仮置き部材１０ａに保持させることができるので、ばね６ｂを含む各部品の落下を少なく抑えることができる。
【００３０】
また、ロープ端末装置６を釣合い錘５に据付けた後には、据付け雇１０を釣合い錘枠５ｂから取外すようにしてあることから、エレベータの稼働中に据付け雇１０が昇降路１内の各種装置・機器に干渉する虞を生じさせることがない。
【００３１】
また、前述した実施形態によれば、支持ブラケット１０ｂにばね仮置き部材１０ａを連結する連結部材１０ｃ、及び支持ブラケット１０ｂを釣合い錘枠５ｂに取付ける取付け部材１０ｄをそれぞれボルトとナットとによって構成してあるので、これらのボルトとナットを介してばね仮置き部材１０ａを釣合い錘枠５ｂに堅固に固定できる。これによって、重量物であるばね６ｂをばね仮置き部材１０ａ上に多数載置しても安定して載置させることができる。
【００３２】
なお、前述の実施形態では、ロープ端末装置６を釣合い錘枠５ｂに据付けた後、据付け雇１０を取外すようにしたが、本発明は、このように据付け雇１０を取外すことをせず、ロープ端末装置６の据付け後であっても据付け雇１０を釣合い錘枠５ｂに取付けたままの状態を維持するようにしてもよい。このようにする場合には、予め据付け雇１０を釣合い錘５の外形よりも外側に突出しない形状に設定することが好ましい。
【００３３】
また、前述した実施形態では、ボルトとナットとから成る連結部材１０ｃ及び取付け部材１０ｄを設けたが、これらのボルトとナットの組合わせに代えて、連結部材１０ｃあるいは取付け部材１０ｄを穴への挿入によって係合するように形成された鍵爪によって構成してもよい。
【００３４】
さらに、据付け雇１０を取外さない構成とする場合には、この据付け雇１０を溶接によって支持ブラケット１０ｂに、あるいは釣合い錘枠５ｂに固定し、また、支持ブラケット１０ｂを溶接によって釣り合い錘枠５ｂに固定する構成としてもよい。
【００３５】
なお本実施形態においては、ばね仮置き部材１０ａと支持ブラケット１０ｂとを連結部材１０ｃで連結する連結位置を、釣合い錘５の乗かご３との対向面側に設けている。これにより、移動式ゴンドラ７に乗った状態でばね仮置き部材１０ａと支持ブラケット１０ｂとを連結する作業を行いやすいものとすることができる。
【００３６】
また本実施形態においては、支持ブラケット１０ｂを取付け部材１０ｄで釣合い錘枠５ｂに取付ける取付面も釣合い錘５の乗かご３との対向面側の釣合い錘枠５ｂに設けている。これにより、移動式ゴンドラ７に乗った状態で支持ブラケット１０ｂと釣合い錘枠５ｂばねとを連結する作業を行いやすいものとすることができる。
【００３７】
さらに本実施形態においては、釣合い錘５の乗かご３との対向面側のばね仮置き部材１０ａ端部に下方に折れ曲がった手掛け部が設けており、その反対端部は平板状としている。これにより、ばね仮置き部材１０ａを取り外す作業を行う際には手掛け部で保持しやすくなる上、自分に向かってばね仮置き部材１０ａを引き出す作業を行いやすくできる。そして自分に向かってばね仮置き部材１０ａを引き出す作業を行う際、手掛け部が設けられた端部とは反対側の端部は平板状となっているので、反対端部が他の部材と干渉して引き出し作業を阻害する恐れもない。
【００３８】
なお、本発明は前述した実施形態に限定されるものではなく、様々な変形態様が含まれる。例えば前述した実施形態は本発明を分かりやすく説明するために詳細に説明したものであり、本発明は、必ずしも説明した全ての構成を備えるものに限定されるものではない。
【符号の説明】
【００３９】
１    昇降路
４    ロープ
５    釣合い錘
５ａ  吊り部材
５ｂ  釣合い錘枠
６    ロープ端末装置
６ａ  ロッド
６ｂ  ばね
６ｃ  ナット
１０    据付け雇
１０ａ  ばね仮置き部材
１０ａ１  貫通穴
１０ｂ  支持ブラケット
１０ｃ  連結部材
１０ｄ  取付け部材    
【図１】
2013224193.tif 000003
【図３】
2013224193.tif 000004
【図２】
2013224193.tif 000005
【図４】
2013224193.tif 000006
【図５】
2013224193.tif 000007
【図６】
2013224193.tif 000008